(57)【特許請求の範囲】
【請求項１】
電池と、充電インタフェースとを含み、前記充電インタフェースを介して、電源アダプターと充電回路を形成し、前記電池に対して充電を行う端末であって、
前記端末は、通信ユニットと、異常検出ユニットと、異常処理ユニットとを更に含み、
前記通信ユニットは、前記電源アダプターから充電パラメータ情報を受信し、
前記異常検出ユニットは、前記充電パラメータ情報に基づいて、前記充電回路に異常が発生したか否かを確定し、
前記充電回路に異常が発生した時、前記異常処理ユニットは、前記充電回路を制御し、保護状態に進入させ、
前記異常処理ユニットは、前記充電回路を制御し、保護状態に進入させることは、具体的に、
前記異常処理ユニットが前記電源アダプターからの入力電圧を低下させること、或いは、
前記異常処理ユニットが前記電源アダプターからの入力電流を低下させること、
を含む、端末。
【請求項２】
前記充電回路に異常が発生した時、前記通信ユニットは、更に、前記電源アダプターに充電保護指示情報を送信し、前記電源アダプターに前記充電回路を制御し保護状態に進入させることを指示するのに用いられる、
請求項１に記載の端末。
【請求項３】
前記充電インタフェースは、電源線と、データケーブルとを含み、
前記端末は、前記充電インタフェースを介して、電源アダプターと充電回路を形成し、前記電池に対して充電を行うことは、具体的に、
前記端末は、前記充電インタフェースにおける電源線を介して、前記電源アダプターと充電回路を形成し、前記電池に対して充電を行うことを含み、
前記通信ユニットは、前記電源アダプターから充電パラメータ情報を受信することは、具体的に、
前記通信ユニットは、前記充電インタフェースにおけるデータケーブルを介して、前記電源アダプターから前記充電パラメータ情報を受信することを含む、
請求項１又は２に記載の端末。
【請求項４】
前記充電回路における異常としては、前記電源アダプターの出力電圧が過電圧であること、及び／又は前記電源アダプターの出力電流が過電流であることを含む、
請求項１乃至３のいずれか一項に記載の端末。
【請求項５】
前記充電パラメータ情報は、前記電源アダプターの出力電圧を含み、
前記異常検出ユニットは、前記充電パラメータ情報に基づいて、前記充電回路に異常が発生したか否かを確定することは、具体的に、
前記出力電圧と電圧閾値とを比較し、
前記出力電圧が前記電圧閾値より大きい場合、前記電源アダプターの出力電圧が過電圧であり、前記充電回路に異常が発生したと確定することを含む、
請求項４に記載の端末。
【請求項６】
前記充電パラメータ情報は、前記電源アダプターの出力電流を含み、
前記異常検出ユニットは、前記充電パラメータ情報に基づいて、前記充電回路に異常が発生したか否かを確定することは、具体的に、
前記出力電流と電流閾値とを比較し、
前記出力電流が前記電流閾値より大きい場合、前記出力電流が過電流であり、前記充電回路に異常が発生したと確定することを含む、
請求項４に記載の端末。
【請求項７】
パワー変換ユニットと、充電インタフェースとを含み、前記パワー変換ユニットは、前記充電インタフェースを介して、端末と充電回路を形成し、前記端末の電池に対して充電を行う電源アダプターであって、
前記電源アダプターは、通信ユニットと、異常処理ユニットとを更に含み、
前記通信ユニットは、前記端末から充電保護指示情報を受信し、
前記異常処理ユニットは、前記充電保護指示情報の指示に基づいて、前記充電回路を制御し、保護状態に進入させ、
前記充電回路を制御し、保護状態に進入させることは、
前記異常処理ユニットが前記電源アダプターへの入力電圧を低下させることと、
前記異常処理ユニットが前記電源アダプターへの入力電流を低下させることと、
を含む、電源アダプター。
【請求項８】
前記電源アダプターは、充電インタフェースを介して、前記端末に接続され、
前記充電インタフェースは、充電に用いられる電源線と、データケーブルとを含み、
前記通信ユニットは、前記端末から充電保護指示情報を受信することは、具体的に、
前記通信ユニットは、前記充電インタフェースにおけるデータケーブルを介して、前記端末から前記充電保護指示情報を受信することを含む、
請求項７に記載の電源アダプター。
【請求項９】
前記通信ユニットは、更に、前記端末に充電パラメータ情報を送信するのに用いられ、前記充電パラメータ情報は、前記端末が前記充電回路が異常であるか否かを確定するのに用いられる、
請求項７又は８に記載の電源アダプター。
【請求項１０】
前記充電パラメータ情報は、前記電源アダプターの出力電圧、及び／又は前記電源アダプターの出力電流を含む、
請求項９に記載の電源アダプター。
【請求項１１】
充電異常の処理方法であって、
端末は、電源アダプターから充電パラメータ情報を受信し、
前記端末は、前記充電パラメータ情報に基づいて、前記端末と前記電源アダプターとの間の充電回路に異常が発生したか否かを確定し、
前記充電回路に異常が発生した時、前記端末は、前記充電回路を制御し、保護状態に進入させることを含み、
前記端末は、前記充電回路を制御し、保護状態に進入させることは、
前記端末が前記電源アダプターからの入力電圧を低下させること、或いは、
前記端末が前記電源アダプターからの入力電流を低下させること、
を含む、方法。
【請求項１２】
前記方法は、前記充電回路に異常が発生した時、前記端末は、前記電源アダプターに充電保護指示情報を送信し、前記電源アダプターに前記充電回路を制御し保護状態に進入させることを指示することを更に含む、
請求項１１に記載の方法。
【請求項１３】
前記端末は、充電インタフェースを含み、前記充電インタフェースは、データケーブルと、充電に用いられる電源線とを含み、
前記端末は、電源アダプターから充電パラメータ情報を受信することは、
前記端末は、前記充電インタフェースにおけるデータケーブルを介して、前記電源アダプターから前記充電パラメータ情報を受信することを含む、
請求項１１又は１２に記載の方法。
【請求項１４】
前記充電回路の異常としては、前記電源アダプターの出力電圧が過電圧であること、及び／又は前記電源アダプターの出力電流が過電流であることのうち少なくとも一つを含む、
ことを特徴とする請求項１１から１３のいずれか一項に記載の方法。
【請求項１５】
前記充電パラメータ情報は、前記電源アダプターの出力電圧を含み、
前記端末は、前記充電パラメータ情報に基づいて、前記端末と前記電源アダプターとの間の充電回路に異常が発生したか否かを確定することは、
前記端末は、前記出力電圧と電圧閾値とを比較し、
前記出力電圧が前記電圧閾値より大きい場合、前記端末は、前記出力電圧が過電圧であり、前記充電回路が異常であると確定することを含む、
請求項１４に記載の方法。
【請求項１６】
前記充電パラメータ情報は、前記電源アダプターの出力電流を含み、
前記端末は、前記充電パラメータ情報に基づいて、前記端末と前記電源アダプターとの間の充電回路に異常が発生したか否かを確定することは、
前記端末前記出力電流と電流閾値とを比較し、
前記出力電流の過電流が前記電流閾値より大きい場合、前記端末は、前記出力電流が過電流であり、前記充電回路は異常であると確定することを含む、
請求項１４に記載の方法。
【請求項１７】
充電異常の処理方法であって、
電源アダプターは、端末から充電保護指示情報を受信し、
前記電源アダプターは、前記充電保護指示情報の指示に基づいて、前記電源アダプターと前記端末との間の充電回路を制御し、保護状態に進入させることを含み、
前記充電回路を制御し、保護状態に進入させることは、
前記異常処理ユニットが前記電源アダプターへの入力電圧を低下させることと、
前記異常処理ユニットが前記電源アダプターへの入力電流を低下させることと、
を含む、方法。
【請求項１８】
前記電源アダプターは、充電インタフェースを介して、前記端末に接続され、前記充電インタフェースは、充電に用いられる電源線と、データケーブルとを含み、
前記電源アダプターは、端末から充電保護指示情報を受信することは、
前記電源アダプターは、前記充電インタフェースにおけるデータケーブルを介して、前記端末から前記充電保護指示情報を受信することを含む、
請求項１７に記載の方法。
【請求項１９】
前記方法は、
前記電源アダプターは、前記端末に充電パラメータ情報を送信し、前記充電パラメータ情報は、前記端末が前記充電回路が異常であるか否かを確定するのに用いられることを更に含む、
請求項１７又は１８に記載の方法。
【請求項２０】
前記充電パラメータ情報は、前記電源アダプターの出力電圧、及び／又は前記電源アダプターの出力電流を含む、
請求項１９に記載の方法。
【発明の詳細な説明】
【技術分野】
【０００１】
本発明の実施例は、充電に関し、且つより具体的に、端末、電源アダプター及び充電異常の処理方法に関する。
【背景技術】
【０００２】
現在、多数の電子設備における電池は、電子設備の充電インタフェースを介して、外部の電源アダプターに接続されることにより、充電を実現している。電池充電過程において、充電時間を短縮させるために、従来の技術は、充電電流を増大させることにより、電池に対する急速充電を行う目的を達成することができる。但し、たとえ慣例的な定電圧出力方式を適用して、或いは充電電流を増大させる方式を適用して電池に対して充電を行うとしても、若し充電回路に異常が発生すると、例えば、電源アダプターの出力電圧が過電圧であり、及び／又は出力電流が過電流である場合、端末の電池を破損するようになる。従来の技術では、充電回路における異常に対する検出及び処理ができず、充電過程における安全性が低い方である。
【発明の概要】
【発明が解決しようとする課題】
【０００３】
本発明の実施例は、端末、電源アダプター及び充電異常の処理方法を提供することにより、充電過程における安全性を向上させる。
【課題を解決するための手段】
【０００４】
第１の方面としては、端末を提供する。当該端末は、電池と、充電インタフェースとを含む。前記端末は、前記充電インタフェースを介して、電源アダプターと充電回路を形成し、前記電池に対して充電を行う。前記端末は、通信ユニットと、異常検出ユニットと、異常処理ユニットとを更に含む。その中で、前記通信ユニットは、前記電源アダプターから充電パラメータ情報を受信し、前記異常検出ユニットは、前記充電パラメータ情報に基づいて、前記充電回路に異常が発生したか否かを確定し、前記充電回路に異常が発生した時、前記異常処理ユニットは、前記充電回路を制御し、保護状態に進入させる。
【０００５】
第１の方面を結合して、第１の方面の一つの実現方式において、前記充電回路に異常が発生した時、前記通信ユニットは、更には、前記電源アダプターに充電保護指示情報を送信し、前記電源アダプターに前記充電回路を制御し、保護状態に進入させることを指示するのに用いられる。
【０００６】
第１の方面或いはその上記の実現方式の任意の一つを結合して、第１の方面のもう一つの実現方式において、前記充電インタフェースは、電源線と、データケーブルとを含む。前記端末は、前記充電インタフェースを介して、電源アダプターと充電回路を形成し、前記電池に対して充電を行うことは、具体的に、前記端末は、前記充電インタフェースにおける電源線を介して、前記電源アダプターと充電回路を形成し、前記電池に対して充電を行うことを含む。前記通信ユニットは、前記電源アダプターから充電パラメータ情報を受信することは、具体的に、前記通信ユニットは、前記充電インタフェースにおけるデータケーブルを介して、前記電源アダプターから前記充電パラメータ情報を受信することを含む。
【０００７】
第１の方面或いはその上記の実現方式の任意の一つを結合して、第１の方面のもう一つの実現方式において、前記異常処理ユニットは、前記充電回路を制御し、保護状態に進入させることは、具体的には、前記異常処理ユニットが前記電源アダプターからの入力電圧を低下させること、前記異常処理ユニットが前記電源アダプターからの入力電流を低下させること、或いは、前記異常処理ユニットが前記充電回路を遮断させることを含む。
【０００８】
第１の方面或いはその上記の実現方式の任意の一つを結合して、第１の方面のもう一つの実現方式において、前記充電回路における異常としては、前記電源アダプターの出力電圧が過電圧であること、及び／又は前記電源アダプターの出力電流が過電流であることを含む。
【０００９】
第１の方面或いはその上記の実現方式の任意の一つを結合して、第１の方面のもう一つの実現方式において、前記充電パラメータ情報は、前記電源アダプターの出力電圧を含む。前記異常検出ユニットは、前記充電パラメータ情報に基づいて、前記充電回路に異常が発生したか否かを確定することは、具体的に、前記出力電圧と電圧閾値とを比較し、前記出力電圧が前記電圧閾値より大きい場合、前記電源アダプターの出力電圧が過電圧であり、前記充電回路に異常が発生したと確定することを含む。
【００１０】
第１の方面或いはその上記の実現方式の任意の一つを結合して、第１の方面のもう一つの実現方式において、前記充電パラメータ情報は、前記電源アダプターの出力電流を含む。前記異常検出ユニットは、前記充電パラメータ情報に基づいて、前記充電回路に異常が発生したか否かを確定することは、具体的に、前記出力電流と電流閾値とを比較し、前記出力電流が前記電流閾値より大きい場合、前記出力電流が過電流であり、前記充電回路に異常が発生したと確定することを含む。
【００１１】
第２の方面としては、電源アダプターを提供する。当該電源アダプターは、パワー変換ユニットと、充電インタフェースとを含む。前記パワー変換ユニットは、前記充電インタフェースを介して、端末と充電回路を形成し、前記端末の電池に対して充電を行う。前記電源アダプターは、通信ユニットと、異常処理ユニットとを更に含む。その中で、前記通信ユニットは、前記端末から充電保護指示情報を受信し、前記異常処理ユニットは、前記充電保護指示情報の指示に基づいて、前記充電回路を制御し、保護状態に進入させる。
【００１２】
第２の方面を結合して、第２の方面の一つの実現方式において、前記電源アダプターは、充電インタフェースを介して、前記端末に接続され、前記充電インタフェースは、充電に用いられる電源線と、データケーブルとを含む。前記通信ユニットは、前記端末から充電保護指示情報を受信することは、具体的に、前記通信ユニットは、前記充電インタフェースにおけるデータケーブルを介して、前記端末から前記充電保護指示情報を受信することを含む。
【００１３】
第２の方面或いはその上記実現方式の任意の一つを結合して、第２の方面のもう一つの実現方式において、前記通信ユニットは、更には、前記端末に充電パラメータ情報を送信するのに用いられ、前記充電パラメータ情報は、前記端末が前記充電回路が異常であるか否かを確定するのに用いられる。
【００１４】
第２の方面或いはその上記実現方式の任意の一つを結合して、第２の方面のもう一つの実現方式において、前記充電パラメータ情報は、前記電源アダプターの出力電圧、及び／又は前記電源アダプターの出力電流を含む。
【００１５】
第３の方面としては、充電異常の処理方法を提供する。当該充電異常の処理方法は、端末は、電源アダプターから充電パラメータ情報を受信し、前記端末は、前記充電パラメータ情報に基づいて、前記端末と前記電源アダプターとの間の充電回路に異常が発生したか否かを確定し、前記充電回路に異常が発生した時、前記端末は、前記充電回路を制御し、保護状態に進入させることを含む。
【００１６】
第３の方面を結合して、第３の方面の一つの実現方式において、前記方法は、前記充電回路に異常が発生した時、前記端末は、前記電源アダプターに充電保護指示情報を送信し、前記電源アダプターに前記充電回路を制御し、保護状態に進入させることを指示することを更に含む。
【００１７】
第３の方面或いはその上記実現方式の任意の一つを結合して、第３の方面のもう一つの実現方式において、前記端末は、充電インタフェースを含む。前記充電インタフェースは、データケーブルと、充電に用いられる電源線を含む。前記端末は、電源アダプターから充電パラメータ情報を受信することは、前記端末は、前記充電インタフェースにおけるデータケーブルを介して、前記電源アダプターから前記充電パラメータ情報を受信することを含む。
【００１８】
第３の方面或いはその上記実現方式の任意の一つを結合して、第３の方面のもう一つの実現方式において、前記端末は、前記充電回路を制御し、保護状態に進入させることは、前記端末が前記電源アダプターの入力電圧を低下させること、或いは、前記端末が前記電源アダプターの入力電流を低下させること、或いは、前記端末が前記充電回路を遮断させることを含む。
【００１９】
第３の方面或いはその上記実現方式の任意の一つを結合して、第３の方面のもう一つの実現方式において、前記充電回路における異常としては、前記電源アダプターの出力電圧が過電圧であること、及び／又は前記電源アダプターの出力電流が過電流であることを含む。
【００２０】
第３の方面或いはその上記実現方式の任意の一つを結合して、第３の方面のもう一つの実現方式において、前記充電パラメータ情報は、前記電源アダプターの出力電圧を含む。前記端末は、前記充電パラメータ情報に基づいて、前記端末と前記電源アダプターとの間の充電回路に異常が発生したか否かを確定することは、前記端末は、前記出力電圧と電圧閾値とを比較し、前記出力電圧が前記電圧閾値より大きい場合、前記端末は、前記出力電圧が過電圧であり、前記充電回路が異常であると確定することを含む。
【００２１】
第３の方面或いはその上記実現方式の任意の一つを結合して、第３の方面のもう一つの実現方式において、前記充電パラメータ情報は、前記電源アダプターの出力電流を含む。前記端末は、前記充電パラメータ情報に基づいて、前記端末と前記電源アダプターとの間の充電回路に異常が発生したか否かを確定することは、前記端末は、前記出力電流と電流閾値とを比較し、前記出力電流の過電流が前記電流閾値より大きい場合、前記端末は、前記出力電流は過電流であり、前記充電回路が異常であると確定することを含む。
【００２２】
第４の方面としては、充電異常の処理方法を提供する。当該充電異常の処理方法は、電源アダプターは、端末から充電保護指示情報を受信し、前記電源アダプターは、前記充電保護指示情報の指示に基づいて、前記電源アダプターと前記端末との間の充電回路を制御し、保護状態に進入させることを含む。
【００２３】
第４の方面を結合して、第４の方面的一つの実現方式において、前記電源アダプターは、充電インタフェースを介して、前記端末に接続され、前記充電インタフェースは、充電に用いられる電源線と、データケーブルとを含む。前記電源アダプターは、端末から充電保護指示情報を受信することは、前記電源アダプターは、前記充電インタフェースにおけるデータケーブルを介して、前記端末から前記充電保護指示情報を受信することを含む。
【００２４】
第４の方面或いはその上記実現方式の任意の一つを結合して、第４の方面のもう一つの実現方式において、前記方法は、前記電源アダプターは、前記端末に充電パラメータ情報を送信し、前記充電パラメータ情報は、前記端末が前記充電回路が異常であるか否かを確定するのに用いられることを更に含む。
【００２５】
第４の方面或いはその上記実現方式の任意の一つを結合して、第４の方面のもう一つの実現方式において、前記充電パラメータ情報は、前記電源アダプターの出力電圧、及び／又は前記電源アダプターの出力電流を含む。
【発明の効果】
【００２６】
本発明の実施例において、端末は、電源アダプターから充電パラメータ情報を受信し、且つ充電パラメータ情報に基づいて、充電回路に異常が発生したか否かを確定し、充電回路に異常が発生した時、当該端末は、充電回路を制御し、保護状態に進入させることより、充電過程における安全性を向上させる。
【図面の簡単な説明】
【００２７】
本発明の実施例の技術方案をより明らかに説明するために、以下、本発明の実施例に必要な図面に対する簡単な紹介を行うことにする。理解できるのは、下記の説明はただ本発明の一部の実施例であり、当業者であれば、創造的な労働を行わない前提で、これらの図面に基づいて他の図面を更に取得することができる。
【図１】本発明の実施例における端末の例示的なブロック図である。
【図２】本発明の実施例における電源アダプターの例示的なブロック図である。
【図３】本発明の実施例における充電異常の処理方法の例示的なフローチャートである。
【図４】本発明の実施例における充電異常の処理方法の例示的なフローチャートである。
【発明を実施するための形態】
【００２８】
以下、本発明の実施例における図面を結合しながら、本発明の実施例における技術方案をより明らかに、且つ全面的に説明することにする。理解できるのは、説明される実施例は、本発明的の一部の実施例であり、全部の実施例ではない。本発明における実施例に基づいて、当業者により創造的な労働を行わない前提で獲得されたすべての他の実施例は、いずれも本発明の保護範囲に属する。
【００２９】
図１は、本発明の実施例における端末の例示的なブロック図である。図１の端末１０は、電池１１と、充電インタフェース１２とを含む。端末１０は、充電インタフェース１２を介して、電源アダプターと充電回路を形成し、電池１１に対して充電を行う。端末１０は、通信ユニット１３と、異常検出ユニット１４と、異常処理ユニット１５とを更に含む。その中で、通信ユニット１３は、電源アダプターから充電パラメータ情報を受信し、異常検出ユニット１４は、充電パラメータ情報に基づいて、充電回路に異常が発生したか否かを確定し、充電回路に異常が発生した時、異常処理ユニット１５は、充電回路を制御し、保護状態に進入させる。
【００３０】
本発明の実施例において、端末は、電源アダプターから充電パラメータ情報を受信し、且つ充電パラメータ情報に基づいて、充電回路異常が発生したか否かを確定し、充電回路に異常が発生した時、当該端末は、充電回路を制御し、保護状態に進入させることより、充電過程における安全性を向上させる。
【００３１】
選択可能には、一つの実施例として、充電回路に異常が発生した時、通信ユニット１３は、更には、電源アダプターに充電保護指示情報を送信し、電源アダプターに充電回路を制御し、保護状態に進入させることを指示するのに用いられる。
【００３２】
本発明の実施例において、充電回路におけるインピーダンスに異常が発生した時、端末は、主動的に充電回路を制御し、保護状態に進入させるばかりでなく、
電源アダプターにも充電回路を制御し、保護状態に進入させることを通知する。これにより、たとえ端末の異常処理ユニットが失効され、充電回路を制御して保護状態に進入させることができなくなったとしても、依然として電源アダプターにより充電回路を制御し、保護状態に進入させることができ、充電過程における安全性を更に向上させる。
【００３３】
選択可能には、一つの実施例として、充電インタフェースは、電源線と、データケーブルとを含む。端末１０は、充電インタフェース１２を介して、電源アダプターと充電回路を形成し、電池に対して充電を行うことは、具体的に、端末１０は、充電インタフェースにおける電源線を介して、電源アダプターと充電回路を形成し、電池に対して充電を行うことを含む。通信ユニット１３は、電源アダプターから充電パラメータ情報を受信することは、具体的に、通信ユニット１３は、充電インタフェースにおけるデータケーブルを介して、電源アダプターから充電パラメータ情報を受信することを含む。
【００３４】
例えば、充電インタフェースは、ＵＳＢ(Ｕｎｉｖｅｒｓａｌ  Ｓｅｒｉａｌ  Ｂｕｓ、ユニバーサルシリアルバス)インタフェース或いはｍｉｃｒｏ ＵＳＢインタフェースであり、上記の電源線は、ＵＳＢインタフェースにおける電源線、例えば、＋５Ｖ及び−５Ｖ電源線等であり、上記のデータケーブルは、ＵＳＢインタフェースにおけるデータケーブル、例えば、Ｄ＋線及びＤ−線などである。
【００３５】
理解すべきことは、充電回路における異常をもたらす原因は、様々である可能性があり、例えば、電源アダプターの出力電圧が過電圧であることとか、電源アダプターの出力電流が過電流であることとか等があり、異なる異常状況の検出及び処理方式は、異なる可能性があるということである。以下、具体的な実施例を結合して、各種の異常状況の検出及び処理方式について、例を挙げて説明することにする。
【００３６】
選択可能には、一つの実施例として、充電パラメータ情報は、電源アダプターの出力電圧を含む。異常検出ユニット１４は、充電パラメータ情報に基づいて、充電回路に異常が発生したか否かを確定することは、具体的に、当該出力電圧と電圧閾値とを比較し、当該出力電圧が電圧閾値より大きい場合、電源アダプターの出力電圧が過電圧であり、充電回路に異常が発生したと確定することを含む。
【００３７】
理解すべきことは、上記の電圧閾値は、端末１０及び電源アダプターの具体的なモデルに基づいて設定されてもよいし、経験に基づいて設定されてもよいということである。
【００３８】
選択可能には、一つの実施例として、充電パラメータ情報は、電源アダプターの出力電流を含む。異常検出ユニット１４は、充電パラメータ情報に基づいて、充電回路に異常が発生したか否かを確定することは、具体的に、当該出力電流と電流閾値とを比較し、当該出力電流が電流閾値より大きい場合、当該出力電流が過電流であり、充電回路に異常が発生したと確定することを含む。
【００３９】
理解すべきことは、上記の電流閾値は、端末１０及び電源アダプターの具体的なモデルに基づいて、設定されてもよいし、経験に基づいて設定されてもよいということである。
【００４０】
上記の内容は図１を結合しながら、本発明の実施例の端末詳細に説明したが、以下、図２を結合しながら、本発明の実施例における電源アダプターを詳細に説明することにする。理解すべきことは、端末側において説明された端末及び電源アダプターのインタラクション及び関連特性、機能等は、電源アダプター側においての説明と相応するので、簡潔のために、重複になる説明は適当に省略する。
【００４１】
図２は、本発明の実施例における電源アダプターの例示的な構造である。図２の電源アダプター２０は、パワー変換ユニット２１と、充電インタフェース２２とを含む。パワー変換ユニット２１は、充電インタフェース２２を介して、端末と充電回路を形成し、端末の電池に対して充電を行う。電源アダプター２０は、通信ユニット２３と、異常処理ユニット２４とを更に含む。その中で、通信ユニット２３は、端末から充電保護指示情報を受信し、異常処理ユニット２４は、充電保護指示情報の指示に基づいて、充電回路を制御し、保護状態に進入させる。
【００４２】
本発明の実施例において、充電回路に異常が発生した時、電源アダプターの通信ユニットは、端末から充電保護指示情報を受信し、且つ当該充電保護指示情報の指示に基づいて、充電回路を制御し、保護状態に進入させることにより、充電過程における安全性を向上する。
【００４３】
選択可能には、一つの実施例として、電源アダプター２０は、充電インタフェース２２を介して、端末に接続され、充電インタフェース２２は、充電に用いられる電源線と、データケーブルとを含む。通信ユニット２３は、端末から充電保護指示情報を受信することは、具体的に、通信ユニット２３は、充電インタフェース２２におけるデータケーブルを介して、端末から充電保護指示情報を受信することを含む。
【００４４】
例えば、充電インタフェースは、ＵＳＢ(Ｕｎｉｖｅｒｓａｌ  Ｓｅｒｉａｌ  Ｂｕｓ、ユニバーサルシリアルバス)インタフェース或いはｍｉｃｒｏ ＵＳＢインタフェースであり、上記の電源線は、ＵＳＢインタフェースにおける電源線、例えば、＋５Ｖ及び−５Ｖ電源線等であり、上記のデータケーブルは、ＵＳＢインタフェースにおけるデータケーブル、例えば、Ｄ＋線及びＤ−線などである。
【００４５】
選択可能には、一つの実施例として、通信ユニット２３は、更には、端末に充電パラメータ情報を送信するのに用いられ、充電パラメータ情報は、端末が、充電回路が異常であるか否かを確定するのに用いられる。
【００４６】
選択可能には、一つの実施例として、充電パラメータ情報は、電源アダプター２０の出力電圧、及び／又は電源アダプター２０の出力電流を含む。
【００４７】
上記の内容は図１及び図２を結合しながら、本発明に係る実施例の端末及び電源アダプターについて詳細に説明したが、以下、図３及び図４を結合しながら、本発明に係る実施例の充電異常の処理方法について詳細に説明することにする。理解すべきことは、図３における充電異常の処理方法は、図１における端末により実行でき、図４における充電異常の処理方法は、図２における電源アダプターにより実行できるため、重複を避けるために、重複になる説明は適当に省略する。
【００４８】
図３は、本発明の実施例の充電異常の処理方法の例示的なフローチャートである。図３の方法は、下記のステップ３１０〜３３０を含む。
【００４９】
ステップ３１０：端末は、電源アダプターから充電パラメータ情報を受信する。
【００５０】
ステップ３２０：端末は、充電パラメータ情報に基づいて、端末と電源アダプターとの間の充電回路に異常が発生したか否かを確定する。
【００５１】
ステップ３３０：充電回路に異常が発生した時、端末は、充電回路を制御し、保護状態に進入させる。
【００５２】
本発明の実施例において、端末は、電源アダプターから充電パラメータ情報を受信し、且つ充電パラメータ情報に基づいて、充電回路に異常が発生したか否かを確定し、充電回路に異常が発生した時、当該端末は、充電回路を制御し、保護状態に進入させることより、充電過程における安全性を向上させる。
【００５３】
選択可能には、一つの実施例として、図３の方法は、充電回路に異常が発生した時、端末は、電源アダプターに充電保護指示情報を送信し、電源アダプターに充電回路を制御し、保護状態に進入させることを指示することを更に含む。
【００５４】
選択可能には、一つの実施例として、端末は、充電インタフェースを含む。充電インタフェースは、データケーブルと、充電に用いられる電源線とを含む。端末は、電源アダプターから充電パラメータ情報を受信することは、端末は、充電インタフェースにおけるデータケーブルを介して、電源アダプターから充電パラメータ情報を受信することを含む。
【００５５】
選択可能には、一つの実施例として、端末は、充電回路を制御し、保護状態に進入させることは、端末が電源アダプターの入力電圧をさげること、或いは、端末が電源アダプターの入力電流を低下させること、或いは、端末が充電回路を遮断させることを含む。
【００５６】
選択可能には、一つの実施例として、充電回路における異常としては、下記の中での少なくとも一つを含む。電源アダプターの出力電圧が過電圧であること、及び／又は電源アダプターの出力電流が過電流であることである。
【００５７】
選択可能には、一つの実施例として、充電パラメータ情報は、電源アダプターの出力電圧を含む。端末は、充電パラメータ情報に基づいて、端末と電源アダプターとの間の充電回路に異常が発生したか否かを確定することは、端末は、出力電圧と電圧閾値とを比較し、出力電圧が電圧閾値より大きい場合、端末は、出力電圧が過電圧であり、充電回路が異常であると確定することを含む。
【００５８】
選択可能には、一つの実施例として、充電パラメータ情報は、電源アダプターの出力電流を含む。端末は、充電パラメータ情報に基づいて、端末と電源アダプターとの間の充電回路に異常が発生したか否かを確定することは、端末は、出力電流と電流閾値とを比較し、出力電流の過電流が電流閾値より大きい場合、端末は、出力電流が過電流であり、充電回路が異常であると確定することを含む。
【００５９】
図４は、本発明の実施例の充電異常の処理方法の例示的なフローチャートである。図４の方法は下記のステップ４１０〜４２０を含む。
【００６０】
ステップ４１０：電源アダプターは、端末から充電保護指示情報を受信する。
【００６１】
ステップ４２０：電源アダプターは、充電保護指示情報の指示に基づいて、電源アダプターと端末との間の充電回路を制御し、保護状態に進入させる。
【００６２】
本発明の実施例において、充電回路に異常が発生した時、電源アダプターの通信ユニットは、端末から充電保護指示情報を受信し、且つ当該充電保護指示情報の指示に基づいて、充電回路を制御し、保護状態に進入させることにより、充電過程における安全性を向上する。
【００６３】
選択可能には、一つの実施例として、電源アダプターは、充電インタフェースを介して、端末に接続される。充電インタフェースは、充電に用いられる電源線と、データケーブルとを含む。電源アダプターは、端末から充電保護指示情報を受信することは、電源アダプターは、充電インタフェースにおけるデータケーブルを介して、端末から充電保護指示情報を受信することを含む。
【００６４】
選択可能には、一つの実施例として、図４の方法は、電源アダプターは、端末に充電パラメータ情報を送信することを更に含む。充電パラメータ情報は、端末が、充電回路が異常であるか否かを確定するのに用いられる。
【００６５】
選択可能には、一つの実施例として、充電パラメータ情報は、電源アダプターの出力電圧、及び／又は前記電源アダプターの出力電流を含む。
【００６６】
当業者にとって、本文において開示される実施例を結合しながら説明された各例示のユニット及びアルゴリズムステップは、電子ハードウェア或いはコンピュータソフトウェア、及び電子ハードウェアの結合によって実現できることが意識できる。これらの機能がハードウェアで実行されるか、それともソフトウェアの方式で実行されるかは、技術方案の特定応用及び設計の制約条件によって決まる。専門の技術者であれば、個々の特定の応用に対して、異なる方法を使って説明された機能を実現することができるが、このような実現は、本発明の範囲を超えていると理解されてはいけない。
【００６７】
当業者にとって、説明を便利に又は簡便にするために、上記の説明におけるシステム、装置及びユニットの具体的な作業過程は、前述された方法の実施例における対応する過程を参照できることが明確に理解でき、ここでは、記述を繰り返さないことにする。
【００６８】
本出願が提供するいくつかの実施例において、理解すべきことは、掲示されたシステム、装置及び方法は、他の方式を通じて実現できるということである。例えば、以上において説明された装置実施例は、ただ例示的なものであり、例えば、前記ユニットの区画は、ただロジック機能の区画であり、実際に実現される時、他の区画方式を備えることができ、例えば、複数のユニット或いはモジュールが別のもう一つのシステムに結合或いは集積されることができ、或いはある特徴は無視してもかまわなく、或いは実行しなくても差しさわりない。もう一つは、示された或いは討論された相互のカップリングや、直接カップリングや、通信接続は、いくつかのインタフェース、装置或いはユニットを通じた間接カップリング或いは通信接続であって可能であり、電気的、機械的或いは他の形式であっても可能である。
【００６９】
前記の分離部材として説明されたユニットは、物理的に分かれていても、或いは物理的に分かれていなくてもいずれも可能であり、ユニットとして示された部材は、物理ユニットであっても、或いは物理ユニットでなくてもいずれも可能であり、即ち、一つの箇所に位置されても可能であり、或いは、いくつかのネットワークユニットに分布されていても可能である。実際の需要に基づいて、その中での一部或いは全部のユニットを選んで本実施例方案の目的を実現することができる。
【００７０】
その他、本発明の個々の実施例における各機能ユニットは、一つの処理ユニットに集積されてもよく、個々のユニットが単独に物理的に存在してもよく、又は二つ或いは二つ以上のユニットが一つのユニットの中に集積されていてもよい。
【００７１】
前記機能が若しソフトウェア機能ユニットの形式で実現され、且つ独立の製品として販売や使用される時、コンピュータの読み出し可能な記憶媒体に保存されることができる。このような理解に基づいて、本発明の技術方案は、本質的に或いは従来の技術に対して貢献した部分或いは当該技術方案の部分は、ソフトウェア製品の形式で具現できる。当該コンピュータ製品は、一つの記憶媒体に記憶され、一つのコンピュータ設備（パソコン、サーバー、或いはネットワーク設備等）が本発明の個々の実施例に記述された方法の全部或いは一部のステップを実行するように、いくつかの指令を含む。前記の記憶媒体は、ＵＳＢフラッシュディスク、モバイルハードディスク、読み出し専用メモリ(ROM、Read Only Memory)、ランダムアクセスメモリー(RAM、Random Access Memory)、ディスク或いはＣＤなどのプログラムコードを記憶できる媒体を含む。
【００７２】
以上、記述された内容は、本発明の具体的な実施方式に過ぎなく、本発明の保護範囲はこれらに限定されない。当業者であれば、本発明が掲示する技術範囲において、変更或いは切り替えを容易に案ずることができ、全部本発明の保護範囲に含まれるべきである。従って、本発明の保護範囲は、前記特許請求の範囲に準ずるべきである。
【図１】
0006275856.tif 000002
【図２】
0006275856.tif 000003
【図３】
0006275856.tif 000004
【図４】
0006275856.tif 000005